(57)【特許請求の範囲】
【請求項１】
散気管を内部に設けてエアレーションを惹起する水槽の底面形状を球形または円錐形とし、また、散気管の上部に、上部には平板状の拡散板を配設する筒状の導流管を配設して水槽内で導流管の外側を飼育場所とし、さらに、フィルターメッシュを設置した給餌装置を水槽に付設したことを特徴とする魚介類等の飼育装置。
【請求項２】
拡散板を貫通して開口端があり、導流管の中を通り、底板を貫通して下へ突出させた排水管を配設した請求項１記載の魚介類等の飼育装置。
【発明の詳細な説明】
【０００１】
【発明の属する技術分野】
本発明は、貝類、魚類、甲殻類等の魚介類等の飼育装置に関するものである。
【０００２】
【従来の技術】
貝類について言えば、従来、貝類を飼育する場合には角型、もしくは丸底型の水槽を用いて、これに海水もしくは淡水を注入し、かつ、エアレーション用の給気を行うことによって飼育を行っていた。
【０００３】
【発明が解決しようとする課題】
しかしながら、従来の方法の角型、もしくは丸底型の水槽では、水槽内の流れが均一ではない滞留域もしくは止水域（淀み）を必ず発生させるものである。
【０００４】
人工飼料をはじめとした遊泳能力を持たない物質を餌として与えて飼育を行う場合、餌は確実にこの滞留域もしくは止水域（淀み）に溜まることになり、実際に与えた餌の量と比較して貝類が摂餌する量が大きく減少することになる。
【０００５】
また、糞などもその場所に溜まり、飼育水槽内の水質環境を著しく悪化させる原因となり、飼育が困難である。
【０００６】
一方、このような滞留域もしくは止水域（淀み）を解消するために、ポンプなどの機械を用いて強制的に流れを作ることも行われるが、電気やポンプに頼るので飼育水槽の大きさや設置場所に制限があり、しかも、ランニングコストがかかり過ぎる。
【０００７】
特に二枚貝類の飼育に関しては、貝の餌の流出を防ぐために給餌の直後に水槽内部への給水を停止させる必要があるが、この場合、滞留域もしくは止水域（淀み）に溜まった残餌の腐敗や二枚貝類からの排泄物により、水質の悪化が顕著になる。
【０００８】
二枚貝類の人工飼料を給餌する場合、餌の給餌回数は１回でそのまま水槽内に投入することが殆どである。その結果、多くの餌をやりすぎたり、粒子の大きいものが混入していることがあり、この場合には、貝類の生理機能上、摂餌を停止したり、消化管内部に取り込まれる餌の量が極端に減少することになり、成長の停滞やへい死が発生する。
【０００９】
本発明の目的は前記従来例の不都合を解消し、飼育水槽内の滞留域もしくは止水域をポンプなどの機械を用いずに発生させないようにすることができ、それにより均一な流動を確保でき、また、好適な給餌ができる魚介類等の飼育装置を提供することにある。
【００１０】
【課題を解決するための手段】
本発明は前記目的を達成するため、第１に、散気管を内部に設けてエアレーションを惹起する水槽の底面形状を球形または円錐形とし、また、散気管の上部に、上部には平板状の拡散板を配設する筒状の導流管を配設して水槽内で導流管の外側を飼育場所とし、さらに、フィルターメッシュを設置した給餌装置を水槽に付設したこと、第２に、拡散板を貫通して開口端があり、導流管の中を通り、底板を貫通して下へ突出させた排水管を配設したことを要旨とするものである。
【００１１】
請求項１記載の本発明によれば、水槽の底面形状を球形または円錐形としたことにより、底面における淀みとなる角を排除でき、滞留域もしくは止水域が解消される。さらに、水槽内に筒状の導流管を設置したことにより、散気管によるエアレーションによる上昇流とそれによって発生する補償流である下降流をこの導流管によって分離し、水槽内部の鉛直水流循環を促進できる。
【００１２】
また、フィルターメッシュを設置した給餌装置を水槽に付設したことで、餌はこの給餌装置のフィルターメッシュで細かく砕かれ、しかも徐々に給餌されるので、配合飼料など遊泳性の乏しいものか、もしくは全くないものでも効果的に与えることができる。フィルターメッシュにより餌は例えば貝類にとって最適な粒径のものを選択的に与え、かつ、急激な濃度の上昇を防げる。
【００１３】
さらに、拡散板によりエアレーションによって生じた上昇流を水面方向に放射状に拡散させ、補償流である下降流の初期流速を加速させることができる。
【００１４】
請求項２記載の本発明によれば、拡散板による排水管の開口は水槽の上端位置にあり、オーパーフローの水を排水することができる。
【００１５】
【発明の実施の形態】
以下、図面について本発明の実施の形態を詳細に説明する。図１は本発明の魚介類等の飼育装置の１実施形態を示す説明図で、図中１は飼育を行うための水槽である。
【００１６】
水槽１は底板２の底面形状を球形または円錐形とし、この底板２上にエアレーションを惹起する輪状の散気管３を設け、さらに、散気管３の上部に筒状の導流管４を配設した。
【００１７】
水槽１内でこの導流管４の外側を例えば貝類５の飼育場所６とし、導流管４の上部には天蓋タイプの拡散板７を配設した。この拡散板７は平板状の円盤でもよいが、好ましくは逆円錐形とする。なお、図中８は排水管であり、拡散板７を貫通して開口端があり、導流管４の中を通り、底板２を貫通して下へ突出させた。
【００１８】
一例として水槽１はハウジング９内に収めるものであり、前記拡散板７による排水管の開口は水槽１の上端位置にあり、オーバーフローの水を排水する。
【００１９】
さらに、給餌装置１０を水槽１に付設し、この給餌装置１０には水槽１からのエアーリフト管２１を接続するが、図２に示すように給餌装置１０は底部が逆円錐台形の筒状容器１２の底面にナイロン製メッシュ（数１０〜１００μメッシュ）によるフィルターメッシュ１１を設置した。
【００２０】
図中１３は筒状容器１２に餌を投入する餌投入器であり、タイマー１４を備える。また、図１に示すように水槽１への給水装置１５にもタイマー１６を備えた。
【００２１】
次に使用法について説明する。飼育のための水槽１は散気管３によるエアレーションで給気と水流発生がなされるが、導流管４で水槽底部からのエアレーションによる上昇流とそれによって発生する補償流である下降流に分離され、水槽１内部の鉛直水流循環が促進される。貝類５は飼育場所６としてこの鉛直水流循環のうち、下降流のところに置かれる。
【００２２】
また、導流管４を通る上昇流は拡散板７に当たり、放射状に拡散されて、かつ、この拡散板７で補償流である下降流の初期流速を加速する。
【００２３】
一定時間毎になると、給餌装置１０の筒状容器１２内へ餌投入器１３から餌が投入されてフィルターメッシュ１１上へ落下され、給餌が行われる。このフィルターメッシュ１１上へ落下した餌はエアーリフト管２１によりこの筒状容器１２へ供給される飼育水によって徐々に崩壊し、フィルターメッシュ１１を通過して水槽１内部へ供給され、これを摂餌することによって貝類５は成長を続ける。
【００２４】
なお、給水装置１５による水槽１への給水もタイマー１６で前記給餌に合わせて行われる。
【００２５】
図３は本発明の第２実施形態を示すもので、水槽１は卵形のものとした。また、図４、図５はこの第２実施形態による本発明の魚介類等の飼育装置を陸上の養殖システムとした場合を示す。なお、この第２実施形態の図示では拡散板７の明示は省略したが、当然拡散板７を設けることが可能である。
【００２６】
従来、海上で行っている貝類５の毒化や有害プランクトンからの回避をするため、陸上に水槽１を設置し、海水貯留槽１７で海から汲み上げた海水をこの水槽１に供給するようにした。なお、本実施形態では給餌装置１０へのエアーリフト管２１は前記海水貯留槽１７から水を得るようにした。
【００２７】
水槽１から取り出した貝類５は洗浄処理槽１８で洗浄して出荷する。また、水槽１からの排水やこの洗浄処理槽１８からの排水は廃水処理槽１９に導かれ、さらに汚泥処理槽２０に貯えられ、汚泥として処理される。
【００２８】
なお、前記実施形態は本発明装置を魚介類等のうち、貝類５の飼育について使用する場合について説明したが、貝類５も海産貝類、淡水貝類を問わず、さらに真鯛、ヒラメなどの魚類や車エビ、ガザミといった甲殻類の飼育にも有効に利用できる。魚類の場合は粉末の餌を食べる浮遊期の稚仔魚に最適である。
【００２９】
【発明の効果】
以上述べたように本発明の魚介類等の飼育装置は、飼育水槽内の滞留域もしくは止水域をポンプなどの機械を用いずに発生させないようにすることができ、それにより均一な流動を確保でき、また、好適な給餌ができるものである。
【図面の簡単な説明】
【図１】  本発明の魚介類等の飼育装置の第１実施形態を示す説明図である。
【図２】  給餌装置部分の説明図である。
【図３】  本発明の魚介類等の飼育装置の第２実施形態を示す説明図である。
【図４】  第２実施形態を示す本発明の魚介類等の飼育装置を陸上養殖システムとした場合の説明図である。
【図５】  本発明の魚介類等の飼育装置を陸上養殖システムとした場合の平面的説明図である。
【符号の説明】
１…水槽                          ２…底板
３…散気管                        ４…導流管
５…貝類                          ６…飼育場所
７…拡散板                        ８…排水管
９…ハウジング                    １０…給餌装置
１１…フィルターメッシュ          １２…筒状容器
１３…餌投入器                    １４…タイマー
１５…給水装置                    １６…タイマー
１７…海水貯留槽                  １８…洗浄処理槽
１９…廃水処理槽                  ２０…汚泥処理槽
２１…エアーリフト管
【図１】
0004327368.tif 000002
【図２】
0004327368.tif 000003
【図３】
0004327368.tif 000004
【図４】
0004327368.tif 000005
【図５】
0004327368.tif 000006